(57)【要約】【課題】腕時計を腕に付けたときに、金属部分が直接肌にあたるため、それが長時間となった場合、身体への影響が考えられる。また汗によるかぶれや、金属部分の劣化による擦り傷など。【解決手段】腕時計と肌の間に、時計と肌に影響しない遮閉物を入れる。腕時計本体裏側と同じ形状の薄いもの、または異なる任意の形状で、突起を付けた物を腕時計の裏側に貼って使用する。長時間にわたっての腕時計の金属部分からの温度を直接肌に感じさせづらく、汗・冷え・熱からの影響を軽減するものである。 【選択図】図１
2012065680.tif 000002
【特許請求の範囲】
【請求項１】
腕時計本体裏側と同じ形状の薄いもの、または異なる任意の形状で、腕時計の裏側に貼って使用するもので、素材は適宜素材で肌に直接触れても痛みのでない物を使用し、肌にあたる部分には、
突起を付けるが、突起の大きさは目に見える大きさから、目に見えない微細な大きさで、腕時計に触れる部分には粘着剤を塗布しなくても金属部分に接着できる素材のものは粘着剤を付けず、接着できない素材のものには、すぐに剥がせる粘着剤を塗布し、剥離紙で粘着剤塗布部分を覆い、不使用時にあっちこっちに粘着せず、長時間にわたっての腕時計の金属部分の温度を直接肌に感じづらくさせるものである。
【請求項２】
腕時計本体裏側と同じ形状の薄いもの、または異なる形状の物で、腕時計の裏側に貼って使用するもので、素材は適宜素材で肌に直接触れても痛みのでない物を使用し、肌にあたる部分には高分子吸水ポリマーの薄めの層を設け、腕時計に触れる部分には粘着剤を塗布しなくても金属部分に接着できる素材のものは粘着剤を付けず、接着できない素材のものは、すぐに剥がせる粘着剤を塗布し、剥離紙で粘着剤塗布部分を覆い、不使用時にあっちこっちに粘着しないようにする。
腕時計の金属部分の温度を直接肌に感じさせず、夏など暑いときに汗を吸収するものである。
【請求項３】
請求項１のものをシリコーンで作る場合の方法で、通常のシリコーンや吸水柔軟性シリコーン、速乾性のあるシリコーンを図の容器に挿入したものを、型に流し込むか、好みの形にし、固型化させる。腕時計への付け方は、３種類で、１．そのまま付ける。２．すぐに剥がせる粘着剤をそれに塗り乾いたら付ける。３．すぐに剥がせる粘着剤を塗布した薄い紙や紙状のプラスティックなどを本体に付け、それぞれを腕時計の裏に貼る。
【請求項４】
請求項１の物を長くしてセロハンテープ状に巻いた本体を図３の箱に入れる。
本体を引出し、箱に付けた刃、又ははさみなどで任意の長さで切り、腕時計の裏に貼って使用する。
【請求項５】
請求項1の物をTPE(TPR）樹脂、熱可塑性エラストマー（ゴム・プラスティック・ウレタンなど）、シリコーンなどで作る場合、色付け・匂いづけ・飾りとして、天然色素、天然香料、植物性食物残滓（茶粕・茶出し殻・コーヒー粕・コーヒーの出し殻・紅茶粕・紅茶の出し殻・豆粕・など）、消費期限直近のコロン・香水、また消費期限前の草花を乾燥させたもの、海藻、海草、海苔、苔、藻、貝殻などを混ぜ込み作るが、腕への接着面には透明フィルムを添付し、片側にはアクリル樹脂用接着剤を塗布し、肌にあたる面には貼ってもきれいに剥がせる粘着剤を塗布。
【請求項６】
請求項５の物の大きさを適宜の大きさに作り、クッション材として使用。
【発明の詳細な説明】
【技術分野】
【０００１】
本発明は、腕時計本体裏側と同じ形状の薄いもの、または異なる形状の物で、腕時計の裏側に貼って使用する。
素材は適宜素材で肌に直接触れても痛みのでない物。
肌にあたる部分には、突起を付ける。突起の大きさは、目に見える大きさから、目に見えない微細な大きさ。
粘着剤を塗布しなくても金属部分に接着できる素材のものは粘着剤を付けず、接着できない素材のものは、すぐに剥がせる粘着剤を塗布する。
粘着剤を塗布する物に関しては剥離紙で粘着剤塗布部分を覆い、不使用時に粘着しない。
本体が剥離紙、粘着部、肌に触れる部分と多層構造になっている。
長時間にわたっての腕時計の金属部分の温度を直接肌に感じさせないものである。
【背景技術】
【０００２】
従来は腕時計の裏全体を覆う物で、時計にぴったり貼らなければならず、簡単にできなかった。
【先行技術文献】
【特許文献】
【０００３】
【特許文献１】実用新案登録第3064474号
【特許文献２】特開平8-299035
【特許文献３】特開2002-065321
【特許文献４】実公平5-020379
【発明の概要】
【発明が解決しようとする課題】
【０００４】
異質な物はその温度などが影響しあうので、腕時計の金属部分の冷熱による身体への影響や、金属部分と汗によるかぶれ、金属部分の劣化による擦り傷、汗などによる時計への影響。
この課題解決を試みた。
【課題を解決するための手段】
【０００５】
腕時計と肌の間に、時計と肌に影響しづらい遮閉物を入れる。
肌に触れる部分を密着させないために、突起を設けた。
形の異なる腕時計に、手軽に装着するため、本体の形をあらゆる形にした。
【発明の効果】
【０００６】
突起部分を付けたことで、肌にくっつきすぎず、汗や冷熱より肌を守れる。
あらゆる形にしたことで、いろいろな大きさ・形の腕時計に使用できる。
高分子吸収ポリマーを入れることで、汗を吸い取る。
流動体を好みの形にでき、おしゃれ感覚で使える。
【図面の簡単な説明】
【０００７】
【図１】図１は本発明の請求項１・２の正面図・側面図・使用状態を示す図である。
【図２】図２は本発明の請求項３の使用状態を示す図である。
【図３】図３本発明の請求項４の正面図・側面図・上面図である。
【発明を実施するための形態】
【０００８】
腕時計の裏側に本発明を貼り付けて使用する。
【実施例１】
【０００９】
以下、添付図面に従って一実施例を説明する。
剥離紙を剥がした後の接着剤の付いた面を、腕時計の裏側に貼り付けて使用する。
【産業上の利用可能性】
【００１０】
簡単に装着でき、貼った部分を剥がせるので時計以外でも使用できる。
例：厚くしてクッション材として使用。
【符号の説明】
【００１１】
１．    腕時計冷熱軽減と保護パッチ・パッド本体（上面図）
２．    腕時計冷熱軽減と保護パッチ・パッド本体（側面図）
３．    腕時計冷熱軽減と保護パッチ・パッド本体（上面図）
４．    腕時計冷熱軽減と保護パッチ・パッド本体（側面図）
５．    腕時計冷熱軽減と保護パッチ・パッド本体（上面図）
６．    腕時計冷熱軽減と保護パッチ・パッド本体（側面図）
７．    腕時計冷熱軽減と保護パッチ・パッド本体（上面図）
８．    腕時計冷熱軽減と保護パッチ・パッド本体（側面図）
９．    腕時計冷熱軽減と保護パッチ・パッド本体（上面図）
１０．    腕時計冷熱軽減と保護パッチ・パッド本体（側面図）
１１．    腕時計冷熱軽減と保護パッチ・パッド本体（上面図）
１２．    腕時計冷熱軽減と保護パッチ・パッド本体（側面図）
１３．    腕時計冷熱軽減と保護パッチ・パッド本体（側面図）
１４．    腕時計冷熱軽減と保護パッチ・パッド本体（上面図）
１５．    腕時計冷熱軽減と保護パッチ・パッド本体（上面図）
１６．    腕時計冷熱軽減と保護パッチ・パッド本体（上面図）
１７．    腕時計冷熱軽減と保護パッチ・パッド本体（側面図）
１８．    腕時計バンド部
１９．    固型化する流動体の入った入れ物（チューブなど）
２０．    ふた
２１．    型
２２．    型
２３．    突起部
２４．    接着剤塗布部
２５．    剥離紙
２６．    高分子吸収ポリマー
２７．    時計部
２８．    腕時計冷熱軽減と保護パッチ・パッド本体
２９．    刃
３０．    箱
【図１】
2012065680.tif 000003
【図２】
2012065680.tif 000004
【図３】
2012065680.tif 000005